(57)【要約】【課題】  水平同期信号の幅が小さいＨＤ信号であっても、映像信号が入力されていることをマイコンが確実に判断すること。【解決手段】  映像信号を増幅する増幅回路２１と、増幅された映像信号が入力され、映像信号の微分波形を生成する微分回路２２と、微分回路２２から供給される信号によってオンオフ動作されるトランジスタＱ２を有し、映像信号の垂直同期信号に応答してトリガ信号を出力するスイッチング回路２３と、トリガ信号が入力され、トリガ信号に応じてハイレベルとローレベルとを繰り返す矩形波信号を生成して出力するＪＫＦ／Ｆ回路２４と、矩形波信号が入力される入力端子３ａを有し、矩形波信号が入力端子３ａに入力された場合に、映像信号が入力されていることを判断するマイコン３とを備える。【選択図】図２
2009177535.tif 000002
【特許請求の範囲】
【請求項１】
入力される映像信号を増幅する増幅回路と、
前記増幅回路によって増幅された映像信号が入力され、前記映像信号の微分波形を生成する微分回路と、
前記微分回路から供給される信号によってオンオフ動作されるスイッチ素子を有し、前記映像信号の垂直同期信号に応答してトリガ信号を出力するスイッチング回路と、
前記スイッチング回路から前記トリガ信号が入力され、前記トリガ信号に応じてハイレベルとローレベルとを繰り返す矩形波信号を生成して出力する矩形波信号生成回路と、
前記矩形波信号生成回路から前記矩形波信号が入力される入力端子を有し、前記矩形波信号が前記入力端子に入力された場合に、前記映像信号が入力されていることを判断する制御手段とを備える、映像信号検出装置。
【請求項２】
入力される映像信号を増幅する増幅回路と、
前記増幅回路によって増幅された映像信号が入力され、前記映像信号を整流する整流回路と、
前記整流回路から供給される信号によってオンオフ動作されるスイッチ素子を有し、前記映像信号の垂直同期信号に応答したトリガ信号、又は、常に第１のレベルの信号を出力するスイッチング回路と、
前記スイッチング回路から前記トリガ信号が入力され、前記トリガ信号に応じてハイレベルとローレベルとを繰り返す矩形波信号を生成して出力する矩形波信号生成回路と、
前記矩形波信号生成回路から前記矩形波信号が入力される第１入力端子、及び、前記スイッチング回路からの信号が直接入力される第２入力端子を有し、前記第１入力端子に前記矩形波信号が入力されている場合、又は、前記第２入力端子に常に前記第１のレベルの信号が入力されている場合に、前記映像信号が入力されていることを判断する制御手段とを備える、映像信号検出装置。
【請求項３】
前記映像信号が、第１映像信号と、前記第１映像信号に比べて水平同期信号の時間幅が大きい第２映像信号とを含み、
前記映像信号が前記第１映像信号である場合に、前記スイッチング回路が前記トリガ信号を出力し、
前記映像信号が前記第２映像信号である場合に、前記スイッチング回路が常に第１のレベルの信号を出力する、請求項２に記載の映像信号検出装置。
【請求項４】
前記矩形波信号生成回路が、前記トリガ信号のローレベルへの立ち下がりに応答してローレベルからハイレベルに反転し、前記トリガ信号の次のローレベルへの立ち下がりに応答してハイレベルからローレベルに反転する矩形波信号を出力する、請求項１〜３のいずれかに記載の映像信号検出装置。
【請求項５】
前記矩形波信号生成回路が、ＪＫフリップフロップ回路を有し、前記ＪＫフリップフロップ回路のクロック入力端子に前記スイッチング回路からの前記トリガ信号が入力され、前記ＪＫフリップフロップ回路のＫ入力端子及びＪ入力端子には常に論理ハイレベルの信号が入力されている、請求項１〜４のいずれかに記載の映像信号検出装置。
【発明の詳細な説明】
【技術分野】
【０００１】
本発明は、映像信号が入力されたことを検出する映像信号検出装置に関する。
【背景技術】
【０００２】
図８に示すように、ＡＶアンプ５０は、ＤＶＤプレーヤ等から映像信号が入力される入力端子として、コンポーネント信号が入力されるコンポーネント信号入力端子５１ａ、Ｓビデオ信号が入力されるＳビデオ信号入力端子５１ｂ、及び、コンポジット信号が入力されるコンポジット信号入力端子５１ｃを備えている。また、ＡＶアンプ５０は、各入力端子から入力される映像信号の中から１つの映像信号を選択して、デコーダ５５に供給するスイッチ部５２を備えており、スイッチ部５２はマイコン５３からの指示に応じて１つの映像信号を選択して、デコーダ５５に出力する。
【０００３】
ＡＶアンプ５０にはユーザによって選択されるセレクタが設けられており、選択されたセレクタにコンポーネント信号入力端子５１ａが割り当てられている場合には、スイッチ部５２はコンポーネント信号入力端子５１ａを選択する。一方、セレクタにコンポーネント信号入力端子５１ａが割り当てられていない場合、Ｓビデオ信号検出回路５４がＳビデオ信号の入力有無を検出し、検出結果をマイコン５３に供給する。マイコン５３は、Ｓビデオ信号が入力されている場合には、スイッチ部５２にＳビデオ信号を選択させ、Ｓビデオ信号が入力されていない場合には、スイッチ部５２にコンポジット信号を選択させる。
【０００４】
ここで、コンポーネント信号について入力有無を検出し、コンポーネント信号が入力されている場合には、スイッチ部５２がコンポーネント信号をＳビデオ信号やコンポジット信号よりも優先的に選択するように処理することが要望されている。しかし、従来Ｓビデオ信号検出回路５４に使用されているものと同じ回路構成の信号検出回路では、コンポーネント信号の種類によってはコンポーネント信号の入力有無を正確に検出することができない場合がある。
【０００５】
詳細には、コンポーネント信号がＮＴＳＣ信号（解像度が４８０ｉ）である場合には、水平同期信号の時間幅が大きいので、信号検出回路は常にハイレベルの検出信号をマイコン５３に供給することができるので、マイコン５３は常にハイレベルの検出信号に基づいて、コンポーネント信号が入力されていることを判断することができる。一方、コンポーネント信号が、ハイビジョン信号（ＨＤ信号、解像度が７２０ｐ）である場合には、水平同期信号の時間幅が小さいので、垂直同期信号の期間だけ瞬間的にハイレベルになる検出信号をマイコン５３に供給する。マイコン５３は、垂直同期信号の期間だけ瞬間的にハイレベルになる検出信号に基づいて、コンポーネント信号が入力されていることを検出することはできない。
【０００６】
【特許文献１】特許２００４−５６７１９号
【発明の開示】
【発明が解決しようとする課題】
【０００７】
本発明は上記従来の課題を解決するためになされたものであり、その目的は、水平同期信号の幅が小さいＨＤ信号であっても、映像信号が入力されていることをマイコンが確実に判断することができる映像信号検出装置を提供することである。
【課題を解決するための手段】
【０００８】
本発明の好ましい実施形態による映像信号検出装置は、入力される映像信号を増幅する増幅回路と、前記増幅回路によって増幅された映像信号が入力され、前記映像信号の微分波形を生成する微分回路と、前記微分回路から供給される信号によってオンオフ動作されるスイッチ素子を有し、前記映像信号の垂直同期信号に応答してトリガ信号を出力するスイッチング回路と、前記スイッチング回路から前記トリガ信号が入力され、前記トリガ信号に応じてハイレベルとローレベルとを繰り返す矩形波信号を生成して出力する矩形波信号生成回路と、前記矩形波信号生成回路から前記矩形波信号が入力される入力端子を有し、前記矩形波信号が前記入力端子に入力された場合に、前記映像信号が入力されていることを判断する制御手段とを備える。
【０００９】
入力される映像信号が例えばＮＴＳＣ信号であってもＨＤ信号であっても、微分回路が映像信号の垂直同期信号のみに応答して微分波形を出力するので、スイッチング回路は、垂直同期信号のみに応答してトリガ信号を出力する。矩形波信号生成手段がトリガ信号に応じてトリガ信号よりもハイレベルの幅が大きい矩形波信号を出力するので、制御手段は確実に矩形波信号を検出することができ、映像信号が例えばＨＤ信号であっても映像信号が入力されていることを確実に判断することができる。また、微分回路を設けることにより、トリガ信号の周期が大きくなるので、矩形波信号のハイレベル及びローレベルの幅をより大きくすることができ、制御手段がさらに確実に矩形波信号を検出することができる。
【００１０】
本発明の別の好ましい実施形態による映像信号検出装置は、入力される映像信号を増幅する増幅回路と、前記増幅回路によって増幅された映像信号が入力され、前記映像信号を整流する整流回路と、前記整流回路から供給される信号によってオンオフ動作されるスイッチ素子を有し、前記映像信号の垂直同期信号に応答したトリガ信号、又は、常に第１のレベルの信号を出力するスイッチング回路と、  前記スイッチング回路から前記トリガ信号が入力され、前記トリガ信号に応じてハイレベルとローレベルとを繰り返す矩形波信号を生成して出力する矩形波信号生成回路と、前記矩形波信号生成回路から前記矩形波信号が入力される第１入力端子、及び、前記スイッチング回路からの信号が直接入力される第２入力端子を有し、前記第１入力端子に前記矩形波信号が入力されている場合、又は、前記第２入力端子に常に前記第１のレベルの信号が入力されている場合に、前記映像信号が入力されていることを判断する制御手段とを備える。
【００１１】
スイッチング回路が垂直同期信号に応じたトリガ信号を出力する場合には、矩形波信号生成手段がトリガ信号に応じてトリガ信号よりもハイレベルの幅が大きい矩形波信号を出力するので、制御手段は確実に矩形波信号を検出することができ、映像信号がＨＤ信号であっても映像信号が入力されていることを確実に判断することができる。また、スイッチング回路が常に第１のレベルの信号を出力する場合には、常に第１のレベルの信号は直接制御手段に入力され、制御手段は第１のレベルの信号を検出することができ、映像信号が入力されていることを確実に判断することができる。
【００１２】
好ましい実施形態においては、前記映像信号が、第１映像信号と、前記第１映像信号に比べて水平同期信号の時間幅が大きい第２映像信号とを含み、前記映像信号が前記第１映像信号である場合に、前記スイッチング回路が前記トリガ信号を出力し、前記映像信号が前記第２映像信号である場合に、前記スイッチング回路が常に第１のレベルの信号を出力する。
【００１３】
映像信号が第１映像信号（例えばＨＤ信号）である場合には、スイッチング回路がトリガ信号を出力し、矩形波信号生成手段がトリガ信号に応じてトリガ信号よりもハイレベルの幅が大きい矩形波信号を出力するので、制御手段は確実に矩形波信号を検出することができ、映像信号がＨＤ信号であっても映像信号が入力されていることを確実に判断することができる。
【００１４】
好ましい実施形態においては、前記矩形波信号生成回路が、前記トリガ信号のローレベルへの立ち下がりに応答してローレベルからハイレベルに反転し、前記トリガ信号の次のローレベルへの立ち下がりに応答してハイレベルからローレベルに反転する矩形波信号を出力する。
【００１５】
この場合、矩形波信号のハイレベル及びローレベルの幅をさらに大きくすることができるので、制御手段がさらに確実に矩形波信号を検出することができる。
【００１６】
好ましい実施形態においては、前記矩形波信号生成回路が、ＪＫフリップフロップ回路を有し、前記ＪＫフリップフロップ回路のクロック入力端子に前記スイッチング回路からの前記トリガ信号が入力され、前記ＪＫフリップフロップ回路のＫ入力端子及びＪ入力端子には常に論理ハイレベルの信号が入力されている。
【発明の効果】
【００１７】
本発明によると、矩形波信号生成手段がトリガ信号に応じてトリガ信号よりもハイレベルの幅が大きい矩形波信号を出力するので、制御手段は確実に矩形波信号を検出することができ、映像信号が例えばＨＤ信号であっても映像信号が入力されていることを確実に判断することができる。
【発明を実施するための最良の形態】
【００１８】
［実施形態１］
図１は、本発明の好ましい実施形態による映像信号検出装置１が適用されるＡＶアンプ１０の要部を示すブロック図である。ＡＶアンプ１０は、映像信号検出装置１と、ＤＶＤプレーヤ等から映像信号が入力される入力端子１１と、スイッチ部１２と、デコーダ１３とを備える。入力端子１１は、コンポーネント信号が入力されるコンポーネント信号入力端子１１ａ、Ｓビデオ信号が入力されるＳビデオ信号入力端子１１ｂ、及び、コンポジット信号が入力されるコンポジット信号入力端子１１ｃ等を含む。スイッチ部１２は、各入力端子から入力される映像信号の中から１つの映像信号を選択して、デコーダ１３に供給する。スイッチ部１２は、マイコン３からの指示に応じて１つの映像信号を選択して、デコーダ１３に出力する。デコーダ１３は、供給された映像信号に対してアナログ−デジタル変換、フォーマット変換等の各処理を実行し、後段に供給する。
【００１９】
映像信号検出装置１は、コンポーネント信号入力端子１１ａにコンポーネント信号が入力されているか否かを検出するものであり、コンポーネント信号検出回路２と、制御手段であるマイコン３とを有している。コンポーネント信号検出回路２は、コンポーネント信号入力端子１１ａに接続されており、コンポーネント信号が入力された際に、そのことを検出しマイコン３に検出信号（後述する矩形波信号、及び、常にハイレベルの信号）を出力する。マイコン３は、コンポーネント信号検出回路２から検出信号が入力されると、コンポーネント信号がコンポーネント信号入力端子１１ａに入力されていることを判断し、スイッチ部１２にコンポーネント信号を選択させる。
【００２０】
また、ＡＶアンプ１０は、必要に応じてＳビデオ信号検出回路１４を備えており、Ｓビデオ信号検出回路１４は、Ｓビデオ信号入力端子１１ｂにＳビデオ信号が入力されている場合に、そのことを検出し、マイコン３に検出信号を出力する。コンポーネント信号が入力されていないとき、マイコン３は、Ｓビデオ信号検出回路１４から検出信号が入力されると、Ｓビデオ信号がＳビデオ信号入力端子１１ｂに入力されていることを判断し、スイッチ部１２にＳビデオ信号を選択させる。また、マイコン３は、Ｓビデオ信号検出回路１４から検出信号が入力されないとき、Ｓビデオ信号がＳビデオ信号入力端子１１ｂに入力されていないことを判断し、スイッチ部１２にコンポジット信号を選択させる。
【００２１】
なお、コンポーネント信号には、例えば、解像度が４８０ｉであるＮＴＳＣ信号や、解像度が７２０ｐであるハイビジョン信号（以下、ＨＤ信号という。）等が存在する。ＮＴＳＣ信号は、水平同期信号の時間幅（以下、幅という。）がＨＤ信号に比べて大きい映像信号であり、ＨＤ信号は水平同期信号の幅がＮＴＳＣ信号と比べて小さい映像信号である。なお、ＮＴＳＣ信号及びＨＤ信号共に、垂直同期信号の幅は、各水平同期信号の幅よりも十分に大きい。
【００２２】
図２は、映像信号検出装置１の詳細を示す回路図である。コンポーネント信号検出回路２は、増幅回路２１と、微分回路２２と、スイッチング回路２３と、矩形波信号生成回路２４とを有している。図３は、コンポーネント信号検出回路２の各点における波形を示すタイミングチャートであり、各符号は図２の各点の波形に対応している。
【００２３】
増幅回路２１は、コンポーネント信号入力端子１１ａに入力される映像信号を増幅（反転増幅）して出力する回路である。増幅回路２１は、例えば、抵抗Ｒ１〜Ｒ３及びトランジスタＱ１を有している。トランジスタＱ１は、コレクタが抵抗Ｒ１の一端と抵抗Ｒ２の一端とに接続され、ベースが抵抗Ｒ２の他端とコンデンサＣ２の一端とに接続され、エミッタが抵抗Ｒ３の一端に接続されている。抵抗Ｒ１の他端は接地電位ＧＮＤとコンデンサＣ１の一端とに接続されている。抵抗Ｒ３の他端は、３．３Ｖ電源ライン（以下、電源ラインという。）に接続されている。
【００２４】
コンデンサＣ１は、他端が電源ラインに接続され、電源ラインから供給される３．３Ｖ電源電圧を充電する。コンデンサＣ２の他端は、コンポーネント信号入力端子１１ａに接続されており、コンポーネント信号から直流成分を除去し、増幅回路２１に供給する。
【００２５】
微分回路２２は、増幅回路２１によって増幅された映像信号が入力され、映像信号の微分波形を生成する。詳細には、垂直同期信号の幅（ローレベルの期間）は大きいので、微分回路２２によって垂直同期信号に応じた微分波形が抽出され得るが、水平同期信号や映像信号本体は幅（ローレベルの期間）が小さいので、微分回路２２によって映像信号の水平同期信号や映像信号本体に応答して微分波形は生成されない。従って、微分回路２２は、映像信号から垂直同期信号のみを微分波形として抽出して出力することができるので、後述するＪＫＦ／Ｆ回路から出力される矩形波信号のハイレベル及びローレベルの幅を大きくすることができ、マイコン３に矩形波信号を確実に検出させることができる。
【００２６】
微分回路２２は、コンデンサＣ３と抵抗Ｒ４とを有している。コンデンサＣ３は、一端がトランジスタＱ１のコレクタと抵抗Ｒ１及びＲ２とに接続され、他端がダイオードＤ１のアノードと、抵抗Ｒ４の一端と、トランジスタＱ２のベースとに接続されている。抵抗Ｒ４の他端は、電源ラインに接続されている。ダイオードＤ１のカソードは電源ラインに接続されている。
【００２７】
スイッチング回路２３は、微分回路２２から供給される出力電圧（微分波形）によってオンオフ動作されるスイッチ素子（例えば、ｐｎｐ型トランジスタＱ２）を有し、映像信号の垂直同期信号に応答したトリガ信号（瞬間的にハイレベルになる信号）を出力する。トリガ信号の詳細を図３（Ｅ）に示す。トランジスタＱ２は、ベースが微分回路２２の出力端Ｄ（抵抗Ｒ４とコンデンサＣ３との接続点）に接続され、エミッタが電源ラインに接続され、コレクタがスイッチング回路２３の出力端になっている。
【００２８】
トランジスタＱ２のベース電圧（微分回路２２の出力電圧）が、エミッタ電圧（３．３Ｖ）−導通開始電圧（０．６Ｖ）＝２．７Ｖ以下になったときにトランジスタＱ２がオン状態になり、３．３Ｖの電圧をトリガ信号として出力端Ｅに出力する。一方、トランジスタＱ２のベース電圧が、エミッタ電圧−導通開始電圧よりも大きいときにはトランジスタＱ２がオフ状態になり、３．３Ｖの電圧（トリガ信号）を出力端Ｅに出力しない。
【００２９】
矩形波信号生成回路２４は、スイッチング回路２３からのトリガ信号が入力され、トリガ信号に応じてハイレベルとローレベルとを繰り返す矩形波信号を生成して出力する。詳細には、矩形波信号は、図３（Ｆ）に示すように、トリガ信号のローレベルへの立ち下がりに応答してハイレベルに立ち上がり、次のトリガ信号のローレベルへの立ち下がりに応答してローベルに立ち下がる信号である。このような矩形波信号を生成するために、矩形波信号生成回路２４は、例えばＪＫフリップフロップ回路（以下、ＪＫＦ／Ｆ回路２４という。）を有している。
【００３０】
ＪＫＦ／Ｆ回路２４のクロック入力端子ＣＬＫは、スイッチング回路２３の出力端Ｅ（トランジスタＱ２のコレクタ）に接続され、Ｋ入力端子Ｋ、Ｊ入力端子Ｊ、電源端子ＶＣＣ、クリア端子ＣＬＲ及びＰＲ端子ＰＲは電源ラインに接続されている。ＪＫＦ／Ｆ回路２４の出力端子Ｑ（コンポーネント信号検出回路２の出力端Ｆ）は、マイコン３の入力端子３ａに接続されている。Ｋ入力端子Ｋ及びＪ入力端子Ｊには常に３．３Ｖの電圧（論理ハイレベル）が入力されているので、クロック入力端子ＣＬＫに入力されるトリガ信号の立ち下がりに応答して、ハイレベルとローレベルとの間で反転する矩形波信号が出力端子Ｑから出力される。
【００３１】
マイコン３は、ＪＫＦ／Ｆ回路２４の出力端子Ｑに接続された入力端子３ａを有している。マイコン３は、入力端子３ａに図３（Ｆ）に示す矩形波信号が入力されたか否かを監視しており、矩形波信号が入力されたことを判断した場合に、コンポーネント信号がコンポーネント信号入力端子１１ａに入力されたことを判断し、スイッチ部１２にコンポーネント信号を選択させる。
【００３２】
以上の構成を有する映像信号検出装置１について、図２及び図３を参照し、その動作を説明する。なお、本実施形態においては、コンポーネント信号がＮＴＳＣ信号又はＨＤ信号のいずれの場合にも動作は同じである。
【００３３】
図３（Ａ）は、入力されるコンポーネント信号の一例を示す波形図であり、水平同期信号は幅が小さいので図示されておらず、幅（ローレベルの期間）の大きい垂直同期信号のみが図示されている。入力された映像信号は、図３（Ｂ）に示すように、コンデンサＣ２で直流成分が除去される。このとき、コンデンサＣ２と抵抗Ｒ２（又は抵抗Ｒ３）とによって微分回路が構成されているので、図３（Ｂ）に示す波形は図３（Ａ）の微分波形になっている。すなわち、垂直同期信号の立ち下がりに応じて立ち下がり、その後漸増し、垂直同期信号の立ち上がりに応じて立ち上がり、その後、垂直同期信号の次の立ち下がりまで漸減する波形になる。
【００３４】
続いて、コンデンサＣ２の出力電圧は、増幅回路２１によって反転増幅され、図３（Ｃ）に示す波形になる。すなわち、図３（Ｃ）の波形は、図３（Ｂ）の波形に比べてプラス方向及びマイナス方向に振幅値が増加し、かつ、反転している。次に、図３（Ｃ）の波形は、微分回路２２によって微分され、図３（Ｄ）の波形になる。すなわち、垂直同期信号の立ち下がりに応じて立ち上がり、垂直同期信号の立ち上がりに応じて大きく立ち下がり、その後、垂直同期信号の次の立ち下がりまで漸増する波形になる。
【００３５】
微分回路２２の出力電圧はトランジスタＱ２のベースに供給される。そしてトランジスタＱ２のベース電圧が２．７Ｖ以下の期間だけトランジスタＱ２がオン状態になり、図３（Ｅ）に示すように、トランジスタＱ２のコレクタに電源ラインからの３．３Ｖ電圧がトリガ信号として出力される。一方、トランジスタＱ２のベース電圧が２．７Ｖよりも大きい期間にはトランジスタＱ２がオフ状態になり、トランジスタＱ２のコレクタに電源ラインからの３．３Ｖ電圧がトリガ信号として出力されない。すなわち、垂直同期信号の立ち上がりに応答した微分波形（図３（Ｄ））の立ち下がり時から、微分波形（図３（Ｄ））が漸増することによって２．７Ｖよりも大きくなるまでの期間において、トランジスタＱ２のベース電圧が２．７Ｖ以下になり、トランジスタＱ２がオン状態になるので、トリガ信号が出力される。なお、このトリガ信号の幅は小さいので、マイコン３では確実に検出することができない。
【００３６】
続いて、図３（Ｅ）のトリガ信号はＪＫＦ／Ｆ回路２４のクロック入力端子ＣＬＫに入力される。また、ＪＫＦ／Ｆ回路２４のＫ入力端子Ｋ及びＪ入力端子Ｊには常に３．３Ｖの電圧（論理ハイレベル）が入力されているので、図３（Ｆ）に示すように、クロック入力端子ＣＬＫに入力されるトリガ信号の立ち下がりに応答してローレベルからハイレベルに反転し、トリガ信号の次の立ち下がりに応答して、ハイレベルからローレベルに反転することを繰り返す矩形波信号がＪＫＦ／Ｆ回路２４の出力端子Ｑから出力される。従って、矩形波信号のハイレベル及びローレベルの幅は、図３（Ｅ）のトリガ信号のハイレベル及びローレベルの幅よりも大きくなり、マイコン３によって確実に検出可能な幅にすることができる。
【００３７】
図３（Ｆ）の矩形波信号は、マイコン３の入力端子３ａに入力される。マイコン３は、入力端子３ａに矩形波信号が入力されたことを判断すると、コンポーネント入力端子１１ａにコンポーネント信号が入力されたことを判断する。その結果、マイコン３は、スイッチ部１２にコンポーネント信号を選択させるので、コンポーネント信号がコンポーネント入力端子１１ａに入力されたときに、ＡＶアンプ１０が自動的にコンポーネント信号を選択して、再生することができる。
【００３８】
本実施形態によると、微分回路２２を有することにより、垂直同期信号のみに応答してスイッチング回路２３がトリガ信号を出力するので、トリガ信号が出力される周期が（映像信号本体にも応答してトリガ信号を出力する場合に比べて）大きくなる。従って、ＪＫＦ／Ｆ回路２４が出力する矩形波信号のハイレベル及びローレベルの幅が大きくなり（すなわち、周期が大きくなり）、マイコン３がより確実に矩形波信号を判別することができる。
【００３９】
［実施形態２］
図４は、本実施形態による映像信号検出装置４１の詳細を示す回路図であり、実施形態１と同一部分には同一符号を付し、説明を省略又は簡略化する。映像信号検出装置４１は、コンポーネント信号検出回路４２と、マイコン４３とを有する。コンポーネント信号検出回路４２は、増幅回路２１と、整流回路４４と、スイッチング回路２３と、矩形波信号生成回路２４とを有している。図５〜図７は、コンポーネント信号検出回路４２の各点における波形を示すタイミングチャートであり、各符号は図４の各点に対応している。
【００４０】
図５は、コンポーネント信号がＮＴＳＣ信号であり、水平同期信号（図５（Ａ）のローレベルの期間）に対応する各点の波形を示している（垂直同期信号は省略している）。図６は、コンポーネント信号がＨＤ信号であり、水平同期信号（図６（Ａ）のローレベルの期間）に対応する各点の波形を示している（垂直同期信号は省略している）。図７は、コンポーネント信号がＨＤ信号であり、垂直同期信号（図７（Ａ）のローレベルの期間）に対応する各点の波形を示している（水平同期信号は省略している）。
【００４１】
増幅回路２１は、コンポーネント信号入力端子１１ａに入力される映像信号を反転増幅して出力する回路である。
【００４２】
整流回路４４は、増幅回路２１によって増幅された映像信号が入力され、映像信号を整流して出力する。整流回路４４の出力電圧は、トランジスタＱ２をオンオフ動作させるために使用される。整流回路４４は、一般的な倍電圧整流回路であり、コンデンサＣ４、Ｃ５、ダイオードＤ１、Ｄ２を有している。コンデンサＣ４は、一端がトランジスタＱ１のコレクタと抵抗Ｒ１及びＲ２とに接続され、他端がダイオードＤ１のアノードと、ダイオードＤ２のカソードとに接続されている。ダイオードＤ２のアノードは、コンデンサＣ５の一端とトランジスタＱ２のベースに接続されている。コンデンサＣ５の他端は、電源ラインに接続されている。ダイオードＤ１のカソードは電源ラインに接続されている。
【００４３】
スイッチング回路２３は、整流回路４４から供給される出力電圧によってオンオフ動作されるトランジスタＱ２を有し、映像信号の垂直同期信号に応じたトリガ信号（図７（Ｅ）参照）、又は、常にハイレベルの信号（図５（Ｅ）参照）を出力する。トランジスタＱ２は、ベースが整流回路４４の出力端Ｄ（ダイオードＤ２とコンデンサＣ５との接続点）に接続され、エミッタが電源ラインに接続され、コレクタがスイッチング回路２３の出力端になっている。
【００４４】
トランジスタＱ２のベース電圧（整流回路４４の出力電圧）が、エミッタ電圧（３．３Ｖ）−導通開始電圧（０．６Ｖ）＝２．７Ｖ以下になったときにトランジスタＱ２がオン状態になり、３．３Ｖの出力電圧を出力端Ｅに出力する。一方、トランジスタＱ２のベース電圧が、エミッタ電圧−導通開始電圧＝２．７Ｖよりも大きいときにはトランジスタＱ２がオフ状態になり、３．３Ｖの出力電圧を出力端Ｅに出力しない。
【００４５】
矩形波信号生成回路２４は、スイッチング回路２３からのトリガ信号が入力され、トリガ信号に応じてハイレベルとローレベルとを繰り返す矩形波信号を生成して出力する。矩形波信号生成回路２４は、例えばＪＫＦ／Ｆ回路を有している。
【００４６】
マイコン４３は、入力端子４３ａ、４３ｂを有している。入力端子４３ａは、ＪＫＦ／Ｆ回路２４の出力端子Ｑに接続されており、入力端子４３ｂは、スイッチング回路２３の出力端Ｅ（トランジスタＱ２のコレクタ）に接続されている。マイコン４３は、入力端子４３ａに図７（Ｆ）に示す矩形波信号が入力されたか否か、及び、入力端子４３ｂにスイッチング回路２３から常にハイレベルの信号（すなわち、所定期間以上ハイレベルが継続する信号）が入力されたか否かを監視している。入力端子４３ａに矩形波信号が入力された、又は、入力端子４３ｂに常にハイレベルの信号が入力された場合に、マイコン４３は、コンポーネント信号がコンポーネント信号入力端子１１ａに入力されたことを判断し、スイッチ部１２にコンポーネント信号を選択させる。
【００４７】
以上の構成を有する映像信号検出装置について、図４〜図７を参照して、その動作を説明する。まず、コンポーネント信号がＮＴＳＣ信号である場合を図４，図５を参照して説明する。
【００４８】
図５（Ａ）は、入力されるＮＴＳＣ信号のうち水平同期信号（ローレベルの期間）を示す波形図であり、垂直同期信号は省略している。入力された映像信号は、図５（Ｂ）に示すように、コンデンサＣ２で直流成分が除去される。このとき、コンデンサＣ２と抵抗Ｒ２（又は抵抗Ｒ３）とによって微分回路が構成されているので、図５（Ｂ）に示す波形は図５（Ａ）の微分波形になっている。すなわち、水平同期信号の立ち下がりに応じて立ち下がり、その後漸増し、水平同期信号の立ち上がりに応じて立ち上がり、その後、水平同期信号の次の立ち下がりまで漸減する波形になる。
【００４９】
続いて、コンデンサＣ２の出力電圧は、増幅回路２１によって反転増幅され、図５（Ｃ）に示す波形になる。すなわち、図５（Ｃ）の波形は、図５（Ｂ）の波形に比べてプラス方向及びマイナス方向に振幅値が増加し、反転している。すなわち、水平同期信号の立ち下がりに応じて立ち上がり、水平同期信号の立ち上がりに応じて立ち下がり、その後、水平同期信号の次の立ち下がりまで漸減する波形になる。次に、図５（Ｃ）の波形は、整流回路４４によって整流され、図５（Ｄ）の波形になる。図５（Ｄ）の波形は、概略図４（Ｃ）の波形が平均化された波形になっている。
【００５０】
整流回路４４の出力電圧はトランジスタＱ２のベースに供給される。ここで、図５（Ｄ）の整流回路４４の出力電圧は、水平同期信号の幅が大きく、図５（Ｃ）の波形の振幅値が大きいことに起因して、定常状態になったときにトランジスタＱ２をオン状態にするための電圧（２．７Ｖ）以下に常に維持されている。その結果、トランジスタＱ２は常にオン状態になるので、図５（Ｅ）に示すように、トランジスタＱ２のコレクタに電源ラインからの３．３Ｖ電圧が常に出力され、スイッチング回路２３から常にハイレベルの信号が出力される。
【００５１】
図５（Ｅ）の波形はマイコン３の入力端子４３ｂに供給される。マイコン４３ｂは、入力端子４３ｂに常にハイレベルの信号が入力されていることを判断すると、コンポーネント信号入力端子１１ａにコンポーネント信号が入力されたことを判断する。その結果、マイコン４３は、スイッチ部１２にコンポーネント信号を選択させるので、コンポーネント信号がコンポーネント端子１１ａに入力されたときに、ＡＶアンプ１０が自動的にコンポーネント信号を選択して、再生することができる。
【００５２】
なお、図５（Ｅ）の波形はＪＫＦ／Ｆ回路２４のクロック入力端子ＣＬＫにも入力されるが、図５（Ｅ）の波形が常にハイレベルの信号であるので、ＪＫＦ／Ｆ回路２４の出力端子Ｑから矩形波信号が出力されない。
【００５３】
なお、ＮＴＳＣ信号の垂直同期信号は図示していないが、垂直同期信号は水平同期信号よりも幅が大きいので、図５（Ｅ）の波形には影響しない。
【００５４】
次に、コンポーネント信号がＨＤ信号である場合を図４，図６，図７を参照して説明する。まず、図６を参照し、ＨＤ信号の水平同期信号に対する動作について説明する。
【００５５】
図６（Ａ）は、入力されるＨＤ信号のうち水平同期信号をローレベルの期間として示す波形図であり、垂直同期信号は省略している。入力された映像信号は、図６（Ｂ）に示すように、コンデンサＣ２で直流成分が除去される。このとき、コンデンサＣ２と抵抗Ｒ２（又は抵抗Ｒ３）とによって微分回路が構成されているので、図６（Ｂ）に示す波形は図６（Ａ）の微分波形になっている。
【００５６】
続いて、コンデンサＣ２の電圧は、増幅回路２１によって反転増幅され、図６（Ｃ）に示す波形になる。すなわち、図６（Ｃ）の波形は、図６（Ｂ）の波形に比べてプラス方向及びマイナス方向に振幅値が増加し、反転している。次に、図６（Ｃ）の波形は、整流回路４４によって整流され、図６（Ｄ）の波形になる。図６（Ｄ）の波形は、概略図６（Ｃ）の波形が平均化された波形になっている。
【００５７】
整流回路４４の出力電圧はトランジスタＱ２のベースに供給される。ここで、図６（Ｄ）の整流回路４４の出力電圧は、水平同期信号の幅が小さく、図６（Ｃ）の波形の振幅値が小さいことに起因して、トランジスタＱ２をオン状態にするための電圧（２．７Ｖ）よりも常に大きくなっている。その結果、トランジスタＱ２は常にオフ状態になるので、図６（Ｅ）に示すように、トランジスタＱ２のコレクタに電源ラインからの３．３Ｖ電圧が常に出力されず、スイッチング回路２３から常にローレベルの信号が出力される（常にハイレベルの信号が出力されない）。
【００５８】
図６（Ｅ）の波形はマイコン３の入力端子４３ｂに供給される。マイコン４３は、常にハイレベルの信号が入力端子４３ｂに入力されていないことを判断する。また、図６（Ｅ）の波形はＪＫＦ／Ｆ回路２４のクロック入力端子ＣＬＫにも入力されるが、図６（Ｅ）の波形が常にローレベルの信号であるので、ＪＫＦ／Ｆ回路２４の出力端子Ｑから矩形波信号が出力されない。そのため、マイコン４３は、矩形波信号が入力端子４３ａに入力されていないことを判断する。その結果ＨＤ信号の水平同期信号によっては、マイコン４３は、コンポーネント入力端子１１ａにコンポーネント信号が入力されたことを判断することはできない。
【００５９】
続いて、図７を参照し、ＨＤ信号の垂直同期信号に対する動作について説明する。図７（Ａ）は、入力されるＨＤ信号のうち垂直同期信号をローレベルとして示す波形図であり、水平同期信号は省略している。入力された映像信号は、図７（Ｂ）に示すように、コンデンサＣ２で直流成分が除去される。このとき、コンデンサＣ２と抵抗Ｒ２（又は抵抗Ｒ３）とによって微分回路が構成されているので、図６（Ｂ）に示す波形は図６（Ａ）の微分波形になっている。すなわち、垂直同期信号の立ち下がりに応じて立ち下がり、その後漸増し、垂直同期信号の立ち上がりに応じて立ち上がり、その後、所定期間だけ漸減する波形になる。
【００６０】
続いて、コンデンサＣ２の電圧は、増幅回路２１によって反転増幅され、図７（Ｃ）に示す波形になる。図７（Ｃ）の波形は、図７（Ｂ）の波形に比べてプラス方向及びマイナス方向に振幅値が増加し、反転している。次に、図７（Ｃ）の波形は、整流回路４４によって整流され、図７（Ｄ）の波形になる。図７（Ｄ）の波形は、概略図７（Ｃ）の波形が平均化された波形になっている。
【００６１】
整流回路４４の出力電圧はトランジスタＱ２のベースに供給される。そしてトランジスタＱ２のベース電圧が２．７Ｖ以下の期間に、トランジスタＱ２がオン状態になり、図７（Ｅ）に示すように、トランジスタＱ２のコレクタに電源ラインからの３．３Ｖ電圧がトリガ信号として出力される。一方、トランジスタＱ２のベース電圧が２．７Ｖよりも大きい期間にはトランジスタＱ２がオフ状態になり、トランジスタＱ２のコレクタに電源ラインからの３．３Ｖ電圧がトリガ信号として出力されない。なお、このトリガ信号は幅が小さいので、マイコン３では確実に検出することができない。
【００６２】
続いて、図７（Ｅ）のトリガ信号はＪＫＦ／Ｆ回路２４のクロック入力端子ＣＬＫに入力される。また、ＪＫＦ／Ｆ回路２４のＫ入力端子Ｋ及びＪ入力端子Ｊには常に３．３Ｖの電源電圧（論理ハイレベル）が入力されているので、図７（Ｆ）に示すように、クロック入力端子ＣＬＫに入力されるトリガ信号の立ち下がりに応答してローレベルからハイレベルに反転し、トリガ信号の次の立ち下がりに応答して、ハイレベルからローレベルに反転することを繰り返す矩形波信号がＪＫＦ／Ｆ回路２４の出力端子Ｑから出力される。従って、矩形波信号のハイレベル及びローレベルの幅は、図７（Ｅ）のトリガ信号のハイレベル及びローレベルの幅よりも大きくなっており、マイコン４３によって確実に検出することができる。
【００６３】
図７（Ｆ）の矩形波信号は、マイコン４３の入力端子４３ａに入力される。マイコン４３は、入力端子４３ａに矩形波信号が入力されたことを判断すると、コンポーネント信号入力端子１１ａにコンポーネント信号が入力されたことを判断する。その結果、マイコン４３は、スイッチ部１２にコンポーネント信号を選択させるので、コンポーネント信号がコンポーネント端子１１ａに入力されたときに、ＡＶアンプ１０が自動的にコンポーネント信号を選択して、再生することができる。
【００６４】
以上のように、第２実施形態によると、コンポーネント信号がＮＴＳＣ信号の場合には、水平同期信号（及び垂直同期信号）に応じてスイッチング回路２３から出力される常にハイレベルの信号に基づいてマイコン４３はコンポーネント信号が入力されていることを判断することができる。コンポーネント信号がＨＤ信号の場合には、垂直同期信号に応じてスイッチング回路２３から出力されるトリガ信号がＪＫＦ／Ｆ回路２４によって矩形波信号に変換され、マイコン４３は矩形波信号に基づいてコンポーネント信号が入力されていることを判断することができる。
【００６５】
以上、本発明の好ましい実施形態を説明したが、本発明はこれらの実施形態には限定されない。例えば、矩形波信号生成回路は、トリガ信号の立ち上がりに応じてローレベルからハイレベルに立ち上がり、次のトリガ信号の立ち上がりに応じてハイレベルからローレベルに立ち下がる信号を生成してもよい。例えば、第２実施形態において、マイコン４３は入力端子４３ｂに常にハイレベルの信号が入力されたときにコンポーネント信号が入力されたことを判断しているが、各回路のハイレベル及びローレベルの極性を反転させることにより、入力端子４３ｂに常にローレベルの信号が入力されたときにマイコン４３がコンポーネント信号が入力されたことを判断するようにしてもよい。コンポーネント信号を例に説明したが、ＨＤ信号を含むその他の映像信号にも適用することができる。
【産業上の利用可能性】
【００６６】
本発明は、例えば、ＡＶアンプ等のコンポーネント信号が入力可能な機器に好適に採用され得る。
【図面の簡単な説明】
【００６７】
【図１】本発明の好ましい実施形態によるＡＶアンプ１０を示すブロック図である。
【図２】第１実施形態による映像信号検出装置１を示す回路図である。
【図３】図２に示す映像信号検出装置１の動作を示すタイムチャートである。
【図４】第２実施形態による映像信号検出装置４１を示す回路図である。
【図５】図４に示す映像信号検出装置４１のＮＴＳＣ信号に対する動作を示すタイムチャートである。
【図６】図４に示す映像信号検出装置４１のＨＤ信号の水平同期信号に対する動作を示すタイムチャートである。
【図７】図４に示す映像信号検出装置４１のＨＤ信号の垂直同期信号に対する動作を示すタイムチャートである。
【図８】従来のＡＶアンプ５０を示すブロック図である。
【符号の説明】
【００６８】
１              映像信号検出装置
２              コンポーネント信号検出回路
３              マイコン
１０            ＡＶアンプ
１１            入力端子
１２            スイッチ部
２１            増幅回路
２２            微分回路
２３            スイッチング回路
２４            矩形波信号生成回路
４４            整流回路
【図１】
2009177535.tif 000003
【図２】
2009177535.tif 000004
【図４】
2009177535.tif 000005
【図８】
2009177535.tif 000006
【図３】
2009177535.tif 000007
【図５】
2009177535.tif 000008
【図６】
2009177535.tif 000009
【図７】
2009177535.tif 000010